(57)【要約】【課題】ポンプの間欠駆動により供給路に供給される流体の流量を、簡易な構成で正しく計測して流体を適切に供給する。【解決手段】流体供給装置は、間欠駆動により供給路に流体を吐出するポンプと、流体の流量を計測するためのセンサ素子と、センサ素子の出力を処理して計測流量をメモリに記憶させる処理部と、Ｉ２Ｃバスに接続されるＩ２Ｃインタフェースとを備える流量センサと、Ｉ２Ｃバスを介して流量センサと通信可能に接続され、流量センサにより計測された計測流量に基づいてポンプの駆動信号を生成し、駆動信号を出力してポンプの駆動を制御する駆動制御装置と、を備え、駆動制御装置は、駆動信号を出力する際にＩ２Ｃバスの所定コマンドを流量センサに送信し、流量センサは、所定コマンドの受信を契機として、所定時間に亘り供給路における流体の流量を計測してメモリに計測流量を記憶する。【選択図】図２
2019113470.tif 000002
【特許請求の範囲】
【請求項１】
間欠駆動により供給路に流体を吐出するポンプと、
前記供給路における流体の流量を計測するためのセンサ素子と、前記センサ素子の出力を処理して計測流量をメモリに記憶させる処理部と、Ｉ２Ｃバスに接続されるＩ２Ｃインタフェースとを備える流量センサと、
前記Ｉ２Ｃバスを介して前記流量センサと通信可能に接続され、前記流量センサにより計測された計測流量に基づいて前記ポンプの駆動信号を生成し、該駆動信号を出力して前記ポンプの駆動を制御する駆動制御装置と、
を備え、
前記駆動制御装置は、前記駆動信号を出力する際に前記Ｉ２Ｃバスの所定コマンドを前記流量センサに送信し、
前記流量センサは、前記Ｉ２Ｃバスを介した前記所定コマンドの受信を契機として、所定時間に亘り前記供給路における流体の流量を計測して前記メモリに計測流量を記憶する
流体供給装置。
【請求項２】
請求項１に記載の流体供給装置であって、
前記流量センサは、前記所定時間に亘り、前記処理部で所定の計測周期毎の前記センサ素子の出力を演算した計測流量を前記メモリに記憶させる
流体供給装置。
【請求項３】
請求項１または２に記載の流体供給装置であって、
前記駆動制御装置は、前記所定コマンドとして、前記メモリに記憶されている計測流量の読み込みを指示するコマンドを送信し、
前記流量センサは、前記所定コマンドを受信する度に、前記メモリに記憶されている計測流量を前記Ｉ２Ｃバスを介して前記駆動制御装置に送信してから、前記メモリ内の計測流量をクリアして前記所定時間に亘り流量を計測する処理を行う
流体供給装置。
【請求項４】
請求項１ないし３のいずれか１項に記載の流体供給装置であって、
前記流量センサは、前記ポンプの間欠駆動における流体の吐出時間にマージンを加えた時間を、前記所定時間として流量を計測する
流体供給装置。
【請求項５】
水素を含む改質ガスと酸素を含む酸化剤ガスとに基づいて発電する燃料電池を備える燃料電池システムであって、
原燃料ガスを改質して前記改質ガスを生成する改質器と、
前記流体として前記改質器の改質に用いられる水を供給する請求項１ないし４のいずれか１項に記載の流体供給装置と、
を備える燃料電池システム。
【発明の詳細な説明】
【技術分野】
【０００１】
本発明は、流体供給装置および燃料電池システムに関する。
【背景技術】
【０００２】
従来、この種の流体供給装置において、供給する流体の流量を計測するものが知られている。例えば、特許文献１では、熱式流量計により流量を計測しており、供給路を流れる流体の流速と流量との関係に線形性がある場合に高精度な計測が可能となっている。また、特許文献２には、アキュムレータが設けられた供給路において、アキュムレータよりも下流側に可変絞りやチェックバルブを設けることで、アキュムレータによる脈動流を平滑化させて流体の流量を計測している。
【先行技術文献】
【特許文献】
【０００３】
【特許文献１】特開２０１４−９９６０号公報
【特許文献２】特開昭６３−１８９６号公報
【発明の概要】
【発明が解決しようとする課題】
【０００４】
ところで、流体供給装置として供給路に流体を間欠的に吐出するプランジャポンプなどを備えるものがあり、そのような装置においても流量を適切に計測することが求められている。しかしながら、上述した特許文献２のように可変絞りやチェックバルブを設けることで供給路における脈動流を平滑化させるものとすると、装置構成が複雑となってコスト増に繋がってしまう。
【０００５】
本発明は、ポンプの間欠駆動により供給路に供給される流体の流量を、簡易な構成で正しく計測して流体を適切に供給することを主目的とする。
【課題を解決するための手段】
【０００６】
本発明は、上述の主目的を達成するために以下の手段を採った。
【０００７】
本発明の流体供給装置は、間欠駆動により供給路に流体を吐出するポンプと、前記供給路における流体の流量を計測するためのセンサ素子と、前記センサ素子の出力を処理して計測流量をメモリに記憶させる処理部と、Ｉ２Ｃバスに接続されるＩ２Ｃインタフェースとを備える流量センサと、前記Ｉ２Ｃバスを介して前記流量センサと通信可能に接続され、前記流量センサにより計測された計測流量に基づいて前記ポンプの駆動信号を生成し、該駆動信号を出力して前記ポンプの駆動を制御する駆動制御装置と、を備え、前記駆動制御装置は、前記駆動信号を出力する際に前記Ｉ２Ｃバスの所定コマンドを前記流量センサに送信し、前記流量センサは、前記Ｉ２Ｃバスを介した前記所定コマンドの受信を契機として、所定時間に亘り前記供給路における流体の流量を計測して前記メモリに計測流量を記憶することを要旨とする。
【０００８】
本発明の流体供給装置では、駆動制御装置は、ポンプの駆動信号を出力する際にＩ２Ｃバスの所定コマンドを流量センサに送信し、流量センサは、Ｉ２Ｃバスを介した所定コマンドの受信を契機として、所定時間に亘り供給路における流体の流量を計測してメモリに計測流量を記憶する。これにより、ポンプの間欠駆動により供給路に間欠的に吐出される流体の流量を、ポンプの駆動タイミングに合わせて流体が吐出されている間に計測することが可能となる。このため、脈動流を平滑化させるための構成を設けることなく、簡易な構成で流体の流量を正しく計測することができる。したがって、計測流量に基づくポンプの駆動信号を適切に生成して、供給路に流体を適切に供給することができる。
【０００９】
本発明の流体供給装置において、前記所定時間に亘り、前記処理部で所定の計測周期毎の前記センサ素子の出力を演算した計測流量を前記メモリに記憶させるものとしてもよい。こうすれば、計測精度を高めるために所定の計測周期をできるだけ短くした場合でも、所定の計測周期毎にセンサ素子の出力を駆動制御装置に送信する必要がないから、駆動制御装置と流量センサとの通信負荷を抑えつつ流量の計測精度を高めることができる。
【００１０】
本発明の流体供給装置において、前記駆動制御装置は、前記所定コマンドとして、前記メモリに記憶されている計測流量の読み込みを指示するコマンドを送信し、前記流量センサは、前記所定コマンドを受信する度に、前記メモリに記憶されている計測流量を前記Ｉ２Ｃバスを介して前記駆動制御装置に送信してから、前記メモリ内の計測流量をクリアして前記所定時間に亘り流量を計測する処理を行うものとしてもよい。こうすれば、所定時間における計測流量をまとめて駆動制御装置に出力することができるから、駆動制御装置の処理負荷や駆動制御装置と流量センサとの通信負荷が高くなるのを防止することができる。また、メモリにはポンプの１回の間欠駆動における計測流量を記憶できればよいから、メモリの容量を抑えることができる。
【００１１】
本発明の流体供給装置において、前記流量センサは、前記ポンプの間欠駆動における流体の吐出時間にマージンを加えた時間を、前記所定時間として流量を計測するものとしてもよい。こうすれば、ポンプの間欠駆動により供給路に吐出された流体の流量を漏れなく適切に計測することができる。
【００１２】
本発明の燃料電池システムは、水素を含む改質ガスと酸素を含む酸化剤ガスとに基づいて発電する燃料電池を備える燃料電池システムであって、原燃料ガスを改質して前記改質ガスを生成する改質器と、前記流体として前記改質器の改質に用いられる水を供給する上述したいずれかの流体供給装置と、を備えることを要旨とする。これにより、ポンプの間欠駆動により供給路に間欠的に吐出される水の流量を、ポンプの駆動タイミングに合わせて水が吐出されている間に計測することが可能となる。このため、脈動流を平滑化させるための構成を設けることなく、簡易な構成で水の流量を正しく計測することができる。したがって、計測流量に基づくポンプの駆動信号を適切に生成して、供給路に必要な水を供給することができるから、燃料電池の発電を適切に行うことができる。
【図面の簡単な説明】
【００１３】
【図１】燃料電池システム１０の構成の概略を示す構成図である。
【図２】Ｉ２Ｃバス１００で接続された流量センサ６０と制御装置９０の構成の概略を示す構成図である。
【図３】制御装置９０と流量センサ６０の動作の一例を示すシーケンス図である。
【図４】ポンプ駆動信号と読み込みコマンドとポンプ吐出流量と流量センサ計測とメモリ積算流量の時間変化の一例を示す説明図である。
【発明を実施するための形態】
【００１４】
次に、本発明を実施するための形態について説明する。
【００１５】
図１は燃料電池システム１０の構成の概略を示す構成図であり、図２はＩ２Ｃバス１００で接続された流量センサ６０と制御装置９０の構成の概略を示す構成図である。燃料電池システム１０は、図１に示すように、発電を行う発電ユニット２０や、発電ユニット２０からの熱により加熱された湯水を貯留する貯湯タンク８０、システム全体を制御する制御装置９０などを備え、これらが直方体状の燃料電池ケース１２に収容されている。なお、燃料電池システム１０は、発電ユニット２０により発電された電力を図示しない住宅の家電製品などに供給可能であり、貯湯タンク８０に貯留された湯水を図示しない住宅の浴槽などに供給可能である。
【００１６】
発電ユニット２０は、図１に示すように、発電モジュール３０と、原燃料ガス供給装置４０と、エア供給装置４５と、改質水供給装置５０と、排熱回収装置７０とを備える。
【００１７】
発電モジュール３０は、改質水を気化して水蒸気を生成する気化器３２と、天然ガスやＬＰガスなどの原燃料ガスを水蒸気改質により改質する改質器３４と、改質ガスと酸化剤ガスとの供給を受けて発電する燃料電池スタック３６などを有する。気化器３２と改質器３４と燃料電池スタック３６は、断熱性材料により形成された箱型のモジュールケース３１内に収容されている。モジュールケース３１内には、燃料電池スタック３６の起動や、気化器３２における水蒸気の生成、改質器３４における水蒸気改質反応に必要な熱を供給するために、燃料電池スタック３６を通過した燃料オフガス（アノードオフガス）と酸化剤オフガス（カソードオフガス）とを燃焼させる燃焼部３８が設けられている。
【００１８】
原燃料ガス供給装置４０は、ガス供給源１と気化器３２とを接続する原燃料ガス供給管４１を有する。原燃料ガス供給管４１には、ガス供給源１側から順に、ガス供給弁４２やガスポンプ４３、図示しない脱硫器やガス流量センサなどが設けられており、ガス供給弁４２を開弁した状態でガスポンプ４３を駆動することにより、ガス供給源１からの原燃料ガスを脱硫して気化器３２へ供給する。
【００１９】
エア供給装置４５は、外気と連通するフィルタ４７と燃料電池スタック３６とを接続するエア供給管４６を有する。エア供給管４６には、エアブロワ４８が設けられており、エアブロワ４８を駆動することにより、フィルタ４７を介して吸入したエアを燃料電池スタック３６へ供給する。なお、エア供給管４６には、図示しないエア流量センサなどが設けられている。
【００２０】
改質水供給装置５０は、改質水を貯蔵する改質水タンク５３と気化器３２とを接続する改質水供給管５１を有する。改質水タンク５３には、改質水ポンプ５２が設けられており、改質水ポンプ５２を駆動することにより改質水タンク５３内の改質水を汲み上げて改質水供給管５１を介して気化器３２へ供給する。改質水ポンプ５２は、例えば電磁力とバネ力とによりプランジャを間欠的に駆動（往復動）させることで水（流体）を吐出するプランジャポンプなどとして構成されており、改質水を改質水供給管５１に間欠的に吐出するものとなっている。また、改質水供給管５１には、気化器３２へ供給される改質水の流量を計測する流量センサ６０が設けられている。
【００２１】
流量センサ６０は、図２に示すように、改質水供給管５１を通る改質水の流量を計測するためのセンサ素子６１と、センサ素子６１の出力の演算などの各種処理を行う演算処理部６２と、センサ素子の出力や演算処理部６２の演算結果などを記憶するメモリ６３と、計時を行うタイマ６４と、制御装置９０と通信を行うＩ２Ｃ（Inter-Integrated Circuit）インタフェース（以下、Ｉ２ＣＩ／Ｆ）６５とを備える。センサ素子６１は、例えば計測対象の改質水に熱を供給しその熱によって改質水の流れ方向に生じる温度分布に基づいて水の流量を計測する熱式のセンサ素子として構成されており、改質水に熱を供給する加熱部と、加熱部を挟んで上流側と下流側とに配設される温度測定部とを含む。演算処理部６２は、センサ素子６１の出力を増幅する増幅部やアナログ信号をデジタル信号に変換するアナログデジタル変換部などを含み、例えば数ｍｓなどの微小時間に定められた所定の計測周期（サンプリング周期）毎にセンサ素子６１の出力から水の流量を取得可能である。また、演算処理部６２は、所定の計測周期毎に取得した水の流量を積算し、積算した積算流量を計測流量としてメモリ６３に記憶させることができる。流量センサ６０は、Ｉ２ＣＩ／Ｆ６５に接続されるＩ２Ｃバス１００により、制御装置９０のマイコン９２と通信可能となっている。
【００２２】
排熱回収装置７０は、循環ポンプ７２の駆動により貯湯タンク８０の貯湯水を循環させる循環配管７１と、循環配管７１内の貯湯水と燃焼部３８からの燃焼排ガスとの間で熱交換を行う熱交換器７３とを有する。燃焼部３８からの燃焼排ガスは、熱交換により水蒸気成分が凝縮され、凝縮された水（凝縮水）が凝縮水供給管７４を介して改質水タンク５３に回収される。凝縮水供給管７４には図示しない水精製器が設けられており、水精製器により精製（浄化）された水が改質水タンク５３に回収される。また、残りの排気ガス（ガス成分）は、排気ガス排出管７５を介して外気へ排出される。
【００２３】
制御装置９０は、図２に示すように、システム全体の制御を司るマイクロコンピュータ（以下、マイコン）９２と、改質水ポンプ５２のポンプモータを複数のスイッチング素子を用いて駆動するポンプ駆動部（駆動回路）９４と、を備える。マイコン９２は、図示しないＣＰＵを中心としたマイクロコンピュータであり、ＣＰＵの他に、ＲＯＭ，ＲＡＭ，入出力ポートおよび通信ポートを含む。なお、制御装置９０は、この他に、原燃料ガス供給装置４０のガスポンプ４３のポンプモータを駆動する駆動部やエア供給装置４５のエアブロワ４８のブロワモータを駆動する駆動部などを備えるが、図示は省略する。
【００２４】
制御装置９０は、燃料電池システム１０に要求される要求電力により発電するように原燃料ガス供給装置４０とエア供給装置５０と改質水供給装置５５とを制御する。また、入力した要求電力によっては定格出力で定常運転するように運転制御される。具体的には、制御装置９０は、まず、上記要求電力と燃料電池スタック３６の発電電力との偏差に基づいてフィードバック制御により燃料電池スタック３６が出力すべき出力電流である電流指令を設定する。次に、設定した電流指令に基づいて目標ガス流量、目標エア流量および目標水量を設定する。続いて、目標ガス流量と、図示しない流量センサにより計測されるガス流量との偏差に基づくフィードバック制御により、原燃料ガスの必要流量を設定し、必要流量の原燃料ガスが供給されるようにガスポンプ４３の駆動信号を生成して、ガスポンプ４３のポンプモータを駆動させる。また、目標エア流量と、図示しない流量センサにより計測されるエア流量との偏差に基づくフィードバック制御により、エアの必要流量を設定し、必要流量のエアが供給されるようにエアブロワ４８の駆動信号を生成して、エアブロワ４８のブロワモータを駆動させる。また、マイコン９２は、目標水量と、流量センサ６０により計測される改質水量（計測流量）との偏差に基づくフィードバック制御により、改質水の必要流量を設定し、必要流量の改質水が供給されるようにＰＷＭ制御におけるデューティ比を含む改質水ポンプ５２の駆動信号を生成し、ポンプ駆動部９４に出力する。ポンプ駆動部９４は、受信した駆動信号のデューティ比に基づいて図示しないスイッチング素子を駆動して改質水ポンプ５２を駆動させる。
【００２５】
ここで、流量センサ６０のＩ２ＣＩ／Ｆ６５と制御装置９０のマイコン９２は、上述したＩ２Ｃバス１００を介して通信可能に接続されている。Ｉ２Ｃバス１００は、データ信号を送るシリアルデータラインSDAとクロック信号を送るシリアルクロックラインSCLとの２本のラインにより構成されたシリアル方式のバスである。マスタとしてのマイコン９２と、スレーブとしての流量センサ６０とがＩ２Ｃのプロトコルに準拠して通信を行う。Ｉ２Ｃのプロトコルでは、基本的には、マスタがスタートコンディションを出力することで通信が開始され、マスタがストップコンディションを出力することで通信が終了する。また、マスタはスレーブアドレスの指定と、書き込みまたは読み込みの指定とを含むコマンドを送信し、スレーブはコマンドで指定されたスレーブアドレスが自身のアドレスと一致するコマンドに対して応答する。また、スレーブは、書き込みが指定される場合にはマスタから送信されるコマンド内のデータを指定されたアドレスに書き込んでマスタに応答を送信し、読み込みが指定される場合には必要なデータを読み込んで応答と共にマスタに送信する。なお、図２では、マスタとしてのマイコン９２に、スレーブとして１つの流量センサ６０が接続されるものを例示するが、原燃料ガス供給管４１に設けられたガス流量センサやエア供給管４６に設けられたエア流量センサなどの複数のスレーブが接続されるものなどとしてもよい。
【００２６】
次に、こうして構成された燃料電池システム１０の動作、特に、制御装置９０（マイコン９２）が流量センサ６０からの計測流量を取得して改質水ポンプ５２を駆動させる際の動作について説明する。図３は制御装置９０と流量センサ６０の動作の一例を示すシーケンス図である。このシーケンスは、燃料電池システム１０が起動して必要な初期化処理が終了した後に実行される。
【００２７】
図示するように、制御装置９０のマイコン９２は、まず、改質水の必要流量に応じて改質水ポンプ５２の駆動信号を生成し（Ｓ１００）、改質水ポンプ５２の駆動周期（例えば数百ｍｓｅｃなど）が到来するのを待つ（Ｓ１１０）。マイコン９２は、Ｓ１１０で改質水ポンプ５２の駆動周期が到来したと判定すると、Ｓ１００で生成した改質水ポンプ５２の駆動信号をポンプ駆動部９４に出力すると共に（Ｓ１２０）、Ｉ２Ｃバス１００を介した通信によりメモリ６３からの計測流量の読み込みコマンドを流量センサ６０に送信する（Ｓ１３０）。駆動信号を受信したポンプ駆動部９４は、駆動信号のデューティ比に基づいて図示しないスイッチング素子を駆動して改質水ポンプ５２を駆動させる。これにより、改質水ポンプ５２は、改質水タンク５３内の改質水を改質水供給管５１に吐出する。
【００２８】
一方、流量センサ６０の演算処理部６２は、マイコン９２からのコマンドを受信するのを待ち（Ｓ２００）、マイコン９２のＳ１３０の処理で送信される読み込みコマンドを受信したと判定すると、メモリ６３に記憶されている計測流量を読み込みＩ２Ｃバス１００を介してマイコン９２に送信してメモリ６３の計測流量をクリアする（Ｓ２１０）。次に、流量センサ６０は、タイマ６４による計時を開始すると共に（Ｓ２２０）、センサ素子６１による改質水の流量の計測を開始する（Ｓ２３０）。これにより、改質水ポンプ５２の駆動に合わせたタイミングで流量センサ６０が流量の計測を開始することになる。また、流量センサ６０の演算処理部６２は、上述したように、所定の計測周期毎にセンサ素子６１の出力から水の流量を取得する。そして、流量センサ６０は、タイマ６４による計時に基づいて流量の計測開始から所定時間Ｔａが経過するのを待つ（Ｓ２４０）。この所定時間Ｔａについては後述するが、改質水ポンプ５２の１回の間欠駆動による改質水の吐出時間よりも長い時間であって、所定の計測周期が複数回到来する時間に定められている。流量センサ６０は、Ｓ２４０で所定時間Ｔａが経過したと判定すると、所定の計測周期毎に取得した流量を積算した積算流量を計測流量としてメモリ６３に記憶して（Ｓ２５０）、Ｓ２００に戻る。
【００２９】
また、制御装置９０は、流量センサ６０のＳ２１０の処理で送信される計測流量（積算流量）を受信すると、燃料電池システム１０の目標流量と受信した計測流量とからフィードバック制御により必要流量を設定する（Ｓ１４０）。こうして必要流量を設定すると、Ｓ１００に戻り、必要流量に応じたポンプ駆動信号を生成する処理を行う。
【００３０】
ここで、図４はポンプ駆動信号と読み込みコマンドとポンプ吐出流量と流量センサ計測とメモリ積算流量の時間変化の一例を示す説明図である。図示するように、時刻Ｔ０でマイコン９２が改質水ポンプ５２のポンプ駆動信号を出力すると、改質水ポンプ５２が駆動して改質水が吐出される。なお、改質水ポンプ５２の改質水の吐出時間は、改質水ポンプ５２の仕様によって異なるが、例えば数十ｍｓｅｃ程度の時間である。また、上述したように、ポンプ駆動信号と共に計測流量の読み込みコマンドが流量センサ６０に送信されるため、マイコン９２はポンプ駆動信号を送信すると前回の計測流量を取得することになる。また、流量センサ６０は時刻Ｔ０で前回の計測流量をマイコン９２に送信してメモリ６３からクリアしてから、流量の計測を開始する。そして、流量センサ６０は、改質水ポンプ５２の吐出時間に所定のマージンαを加えた所定時間Ｔａに亘り流量を計測し、所定時間Ｔａが経過した時刻Ｔ１で流量の計測を終了して、積算流量を計測流量としてメモリ６３に記憶する。なお、所定時間Ｔａの間に例えば十数回から数十回程度のサンプリングが行われるように所定の計測周期が定められている。以降も、同様に、時刻Ｔ２，Ｔ４でポンプ駆動信号が出力されると改質水ポンプ５２が吐出動作を行うと共に、読み込みコマンドを受信した流量センサ６０はメモリ６３から前回の積算流量をマイコン９２に送信してクリアしてから流量の計測を開始する。また、時刻Ｔ３，Ｔ５で所定時間が経過したと判定した流量センサ６０は、流量の計測を終了して積算流量をメモリ６３に記憶する。
【００３１】
以上説明した燃料電池システム１０は、マイコン９２と流量センサ６０とがＩ２Ｃバス１００を介して接続され、マイコン９２は、改質水ポンプ５２の駆動信号を出力する際に流量センサ６０に計測流量の読み込みコマンドを出力し、流量センサ６０は、読み込みコマンドを契機として所定時間Ｔａに亘り改質水の流量を計測する。これにより、改質水供給管５１に間欠的に吐出される改質水の流量の計測を、改質水ポンプ５２の吐出開始に合わせて行うことができる。このため、改質水の流量を適切に計測し、その流量に基づくポンプ駆動信号を生成するから、目標流量の改質水を供給して発電モジュール３０を適切に作動させることができる。
【００３２】
また、流量センサ６０は、所定時間Ｔａにおいて所定の計測周期毎に取得した流量を積算した積算流量を計測流量としてメモリ６３に記憶するから、マイコン９２と流量センサ６０との通信負荷を抑えつつ、所定の計測周期をできるだけ短くして流量の計測精度を高めることができる。
【００３３】
また、マイコン９２はポンプ駆動信号と共に計測流量の読み込みコマンドを送信し、流量センサ６０は読み込みコマンドを受信する度に、メモリ６３の計測流量をＩ２Ｃバス１００を介してマイコン９２に送信してから、メモリ６３内の計測流量をクリアして所定時間Ｔａに亘り流量を計測する処理を行う。このため、所定時間Ｔａにおける計測流量をまとめてマイコン９２に出力するから、マイコン９２の処理負荷が高くなったり、マイコン９２と流量センサ６０との通信負荷が高くなったりするのを防止することができる。また、メモリ６３は、改質水ポンプ５２の１回の間欠駆動における計測流量を記憶できればよいから、メモリ６３の記憶容量を抑えることができる。
【００３４】
また、流量センサ６０は、改質水ポンプ５２の吐出時間にマージンαを加えた所定時間Ｔａに亘って流量を計測するから、改質水ポンプ５２から吐出される改質水の流量を漏れなく適切に計測することができる。
【００３５】
上述した実施形態では、流量センサ６０が計測流量（積算流量）をマイコン９２に送信する度にメモリ６３の計測流量をクリアするもの即ち改質水ポンプ５２の１回の間欠駆動における計測流量をメモリ６３に記憶するものとしたが、これに限られず、改質水ポンプ５２の複数回の間欠駆動における計測流量をメモリ６３に記憶可能としてもよい。
【００３６】
実施形態では、流量センサが６０が所定の計測周期毎に取得した流量を積算した積算流量を計測流量としたが、これに限られず、所定の計測周期毎に取得した流量を演算した値（流量）を計測流量とすればよく、例えば所定の計測周期毎に取得した流量を平均した値を用いたり、平均した値と改質水の吐出時間とに基づく値を用いたりしてもよい。あるいは、流量センサ６０は所定の計測周期毎に取得した流量をそのままメモリ６３に記憶して、マイコン９２に送信するものとしてもよい。なお、流量センサ６０は、所定の計測周期で流量を取得する毎に、流量をマイコン９２に送信するものなどとしてもよいが、通信負荷を低減するために実施形態のようにするものが好ましい。
【００３７】
実施形態では、流量センサ６０が改質水ポンプ５２の吐出時間にマージンαを加えた所定時間Ｔａに亘って流量を計測するものとしたが、これに限られず、改質水ポンプ５２の駆動周期よりも短い所定時間に亘って流量を計測するものなどとしてもよい。
【００３８】
実施形態では、流量センサ６０は読み込みコマンドを受信すると、メモリ６３からの計測流量の出力とメモリ６３のクリアと流量の計測とを行うものとしたが、これに限られるものではない。読み込みコマンドを受信すると計測流量を出力し、読み込みコマンドとは別のコマンドを受信すると、メモリ６３のクリアと流量の計測とを行うものとしてもよい。あるいは、メモリ６３のクリアと流量の計測とをそれぞれ別々のコマンドに基づいて行うものなどとしてもよく、例えば書き込みが指定された書き込みコマンドなどを用いてもよい。また、流量センサ６０はタイマ６４の計時に基づいて流量の計測を終了するものとしたが、これに限られず、マイコン９２からＩ２Ｃバスの所定コマンドを受信すると流量の計測を終了するものなどとしてもよい。
【００３９】
実施形態では、燃料電池システム１０において原燃料ガスを改質して改質ガスを生成する改質器３４に水（改質水）を供給するものに本発明を適用したが、これに限られず、流体を供給する流体供給装置に適用するものであればよい。
【００４０】
本実施形態の主要な要素と課題を解決するための手段の欄に記載した発明の主要な要素との対応関係について説明する。本実施形態では、改質水供給管５１が「供給路」に相当し、改質水ポンプ５２が「ポンプ」に相当し、センサ素子６１が「センサ素子」に相当し、演算処理部６２が「処理部」に相当し、Ｉ２ＣＩ／Ｆ６５が「Ｉ２Ｃインタフェース」に相当し、流量センサ６０が「流量センサ」に相当し、Ｉ２Ｃバス１００が「Ｉ２Ｃバス」に相当し、制御装置９０のマイコン９２が「駆動制御装置」に相当する。また、燃料電池スタック３６が「燃料電池」に相当し、燃料電池システム１０が「燃料電池システム」に相当し、改質器５４が「改質器」に相当する。
【００４１】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００４２】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４３】
本発明は、流体供給装置の製造産業などに利用可能である。
【符号の説明】
【００４４】
１  ガス供給源、１０  燃料電池システム、１２  燃料電池ケース、２０  発電ユニット、３０  発電モジュール、３１  モジュールケース、３２  気化器、３４  改質器、３６  燃料電池スタック、３８  燃焼部、４０  原燃料ガス供給装置、４１  原燃料ガス供給管、４２  ガス供給弁、４３  ガスポンプ、４５  エア供給装置、４６  エア供給管、４７  フィルタ、４８  エアブロワ、５０  改質水供給装置、５１  改質水供給管、５２  改質水ポンプ、５３  改質水タンク、６０  流量センサ、６１  センサ素子、６２  演算処理部、６３  メモリ、６４  タイマ、６５  Ｉ２Ｃインタフェース（Ｉ２ＣＩ／Ｆ）、７０  排熱回収装置、７１  循環配管、７２  循環ポンプ、７３  熱交換器、７４  凝縮水供給管、７５  排気ガス排出管、８０  貯湯タンク、９０  制御装置、９２  マイクロコンピュータ（マイコン）、９４  ポンプ駆動部、１００  Ｉ２Ｃバス。
【図１】
2019113470.tif 000003
【図２】
2019113470.tif 000004
【図３】
2019113470.tif 000005
【図４】
2019113470.tif 000006